(57)【要約】【課題】電力供給手段及び状態切換手段など特別な駆動手段を用いることなく、極めて簡単な構成によって内部の様子が見え易い箇所と見え難い箇所を設定することができる遊技機を提供すること。【解決手段】所定の遊技媒体（遊技球）を用いて遊技を行う遊技機において、特定の方向に振動している光だけを通過可能に構成された偏光手段１１，１２を複数備え、複数の偏光手段１１，１２をその一部が互いに重なり合うよう配置することにより、遊技者が偏光手段１１，１２の奥側における遊技媒体の様子を容易に視認し得る透明空間１３と、遊技者が偏光手段１１，１２の奥側における遊技媒体の様子を視認し難い不透明空間１４とを形成する。【選択図】図８
2006223654.tif 000002
【特許請求の範囲】
【請求項１】
所定の遊技媒体を用いて遊技を行う遊技機において、
特定の方向に振動している光だけを通過可能に構成された偏光手段を複数備え、該複数の偏光手段をその一部が互いに重なり合うよう配置することにより、遊技者が該偏光手段の奥側における前記遊技媒体の様子を容易に視認し得る透明空間と、遊技者が前記偏光手段の奥側における前記遊技媒体の様子を視認し難い不透明空間とを形成することを特徴とする遊技機。
【請求項２】
遊技球が入賞可能な可変入賞装置を備える遊技機において、
前記可変入賞装置内に、特定の方向に振動している光だけを通過可能に構成された偏光手段を複数設け、該複数の偏光手段をその一部が互いに重なり合うよう配置することにより、遊技者が該偏光手段の奥側における前記遊技球の様子を容易に視認し得る透明空間と、遊技者が前記偏光手段の奥側における前記遊技球の様子を視認し難い不透明空間とを形成することを特徴とする遊技機。
【請求項３】
遊技球が入賞可能な可変入賞装置を備える遊技機において、
前記可変入賞装置内に遊技球通路を設け、該遊技球通路に、特定の方向に振動している光だけを通過可能に構成された偏光手段を複数設け、該複数の偏光手段をその一部が互いに重なり合うよう配置することにより、遊技者が該遊技球通路内における前記遊技球の様子を容易に視認し得る透明空間と、遊技者が前記遊技球通路内における前記遊技球の様子を視認し難い不透明空間とを形成することを特徴とする遊技機。
【請求項４】
前記遊技球通路内において前記不透明空間が形成される部位に、前記遊技球の通過を妨げる位置と前記遊技球の通過を許容する位置の２つの位置を取り得る通過阻止手段を設けたことを特徴とする請求項３に記載の遊技機。
【発明の詳細な説明】
【技術分野】
【０００１】
本発明は、遊技機、詳しくは、遊技球等所定の遊技媒体を用いて遊技を行うパチンコ遊技機等遊技機に関する。
【背景技術】
【０００２】
従来、遊技状況で動く可動式キャラクタなどで構成された後側表示器と透過形カラー液晶表示器で構成される前側表示器との間に電気シャッターを配置し、電気シャッターへの電力供給を遮断したときは、電気シャッターの遮光性により後側表示器を隠すようにし、一方、電気シャッターに電力を供給したときは、電気シャッターの透過性により後側表示器を見えるように構成した遊技機が提案されている（特許文献１参照）。
【０００３】
また、液晶部材の偏光状態を状態切換手段により変化させることによって入賞装置の室内を見え易くしたり見え難くし、あるいは、非透明部材を状態切換手段により動かすことによって入賞装置の室内を見え易くしたり見え難くするよう構成した遊技機が提案されている（特許文献２参照）。
【特許文献１】特開２００４−９７４１０公報（〔０００８〕〜〔００１０〕）
【特許文献２】特開２００４−２９０２３１公報（〔００１７〕〜〔００２０〕）
【発明の開示】
【発明が解決しようとする課題】
【０００４】
しかしながら、前者の従来技術によると、電気シャッターに電力を供給する電力供給手段が必要不可欠である。
【０００５】
また、後者の従来技術によると、液晶部材又は非透明部材を動作させる状態切換手段が必要不可欠である。
【０００６】
本発明は、上記従来技術のような見え易い状態と見え難い状態とを切り換えるタイプの遊技機とは本質的に異なり、見え易い箇所と見え難い箇所とを予め固定的に設定するようにしたタイプの遊技機であるが、少なくとも上記のような電力供給手段及び状態切換手段など特別な駆動手段を用いることなく、極めて簡単な構成によって内部の様子が見え易い箇所と見え難い箇所を設定することができる遊技機を提供することを目的とする。
【課題を解決するための手段】
【０００７】
本発明の遊技機は、所定の遊技媒体を用いて遊技を行う遊技機において、特定の方向に振動している光だけを通過可能に構成された偏光手段を複数備え、該複数の偏光手段をその一部が互いに重なり合うよう配置することにより、遊技者が該偏光手段の奥側における前記遊技媒体の様子を容易に視認し得る透明空間と、遊技者が前記偏光手段の奥側における前記遊技媒体の様子を視認し難い不透明空間とを形成することを特徴とする。
【０００８】
本発明の遊技機によると、複数の偏光手段をその一部が互いに重なり合うよう配置するという極めて簡単な構成によって透明空間と不透明空間を作り出すことができ、従来技術のような特別な駆動手段を必要としない。
【０００９】
また、本発明の遊技機は、遊技球が入賞可能な可変入賞装置を備える遊技機において、前記可変入賞装置内に、特定の方向に振動している光だけを通過可能に構成された偏光手段を複数設け、該複数の偏光手段をその一部が互いに重なり合うよう配置することにより、遊技者が該偏光手段の奥側における前記遊技球の様子を容易に視認し得る透明空間と、遊技者が前記偏光手段の奥側における前記遊技球の様子を視認し難い不透明空間とを形成することを特徴とする。
【００１０】
本発明の遊技機によると、可変入賞装置内に複数の偏光手段を設け、複数の偏光手段をその一部が互いに重なり合うよう配置するという極めて簡単な構成によって透明空間と不透明空間とを作り出すことができ、従来技術のような特別な駆動手段を必要としない。
【００１１】
また、本発明の遊技機は、遊技球が入賞可能な可変入賞装置を備える遊技機において、前記可変入賞装置内に遊技球通路を設け、該遊技球通路に、特定の方向に振動している光だけを通過可能に構成された偏光手段を複数設け、該複数の偏光手段をその一部が互いに重なり合うよう配置することにより、遊技者が該遊技球通路内における前記遊技球の様子を容易に視認し得る透明空間と、遊技者が前記遊技球通路内における前記遊技球の様子を視認し難い不透明空間とを形成することを特徴とする。
【００１２】
本発明の遊技機によると、可変入賞装置内の遊技球通路に複数の偏光手段を設け、複数の偏光手段をその一部が互いに重なり合うよう配置するという極めて簡単な構成によって遊技球通路内に透明空間と不透明空間とを作り出すことができ、従来技術のような特別な駆動手段を必要としない。
【００１３】
ここで、前記遊技球通路内において前記不透明空間が形成される部位に、前記遊技球の通過を妨げる位置と前記遊技球の通過を許容する位置の２つの位置を取り得る通過阻止手段を設けるようにすると、通過阻止手段が遊技球の通過を妨げる位置にあるときは不透明空間に入った遊技球がその姿を消すことになり、一方、通過阻止手段が遊技球の通過を許容する位置にあるときは不透明空間に入った遊技球が再びその姿を現すようになるため、遊技者は遊技球の行方に興趣をもちながら遊技を行うことができるようになる。
【発明を実施するための最良の形態】
【００１４】
以下、本発明の実施形態を図面に基づいて説明する。
【００１５】
図１は、本発明の一実施形態に係るパチンコ遊技機の正面図、図２は、同パチンコ遊技機の電気系統図、図３は、同パチンコ遊技機の可変入賞装置の当たり経路の説明のための正面図、図４は、同可変入賞装置の当たり経路の説明のための要部断面図、図５は、同可変入賞装置の外れ経路の説明のための正面図、図６は、同可変入賞装置の外れ経路の説明のための要部断面図、図７は、同可変入賞装置の役物の側面図、図８は、同役物の正面図、図９は、同役物の動作説明図、図１０は、他の実施形態に係る役物の構成図、図１１は、さらに他の実施形態に係る役物の構成図をそれぞれ示す。
【００１６】
図１〜図９において、パチンコ遊技機は、遊技盤１の略中央部に可変入賞装置２を備える。可変入賞装置２は、この装置２内部への遊技球の入球を許容及び阻止する左右一対の開閉翼（羽根）３を備え、羽根３の閉塞時（図１に示すように羽根３が略垂直状態にあるときに対応する。）には、遊技球は可変入賞装置２の内部に入ることができず、一方、羽根３の開放時（図３及び図５に示すように羽根３が水平状態に近い状態となるときに対応する。）には、遊技球は可変入賞装置２の内部に入ることができる。
【００１７】
可変入賞装置２の内部には、羽根３の開放時に可変入賞装置２の内部に入ってきた遊技球を受け止めるステージ４が配設されており、このステージ４は、図４及び図６に示すように、ステージ４上の遊技球を後方（遊技機の奥側）へ誘導する傾斜面を有している。
【００１８】
ステージ４の左右方向中央部の下方には、遊技球通路（役物）５が配設されている。遊技球通路５は、図４及び図６に示すように前下がりに傾斜して配置された円筒部材６を有し、ステージ４の左右方向中央部から落下してきた遊技球を後端部の導入孔７から円筒部材６内部に導き入れ、円筒部材６内部を通って下端開口部８から落下させるよう構成されている。円筒部材６の下端開口部８は特定入賞口９の略真上に位置しており、図３及び図４に二点鎖線で示すように、下端開口部８から落下した遊技球は、特定入賞口９へ入賞しやすい。円筒部材６は、図７に示すように、モータ１０によって左右方向又は一方向へ回動するため、円筒部材６の導入孔７の回転角度位置によってステージ４の左右方向中央部から落下してきた遊技球が円筒部材６に入りやすくなる場合と入るのを拒否される場合がある。なお、ステージ４の左右方向中央部以外の部位から落下する遊技球は、図５に二点鎖線で示すような外れ経路Aを経て可変入賞装置２から外部へ排出される。
【００１９】
円筒部材６は、透明（半透明を含む。）材料からなり、円筒部材６の内周面には、特定の方向に振動している光だけを通過可能に構成された２枚の偏光フィルム１１，１２が、透過軸が互いに直交する位置関係を有しながら、その一部が互いに重なり合う（空間を挟んで重なり合う場合を含む。）よう配置されている（図７及び図８において、網目で表した部分が重合部分に対応している。）。透過軸が互いに直交する位置関係を有する２枚の偏光フィルムを重ね合わせた部分においては、１枚目の偏光フィルムの偏光作用によって通過した特定の方向に振動している光が２枚目の偏光フィルムの偏光作用によって遮断されるようになる。このため、遊技者から円筒部材６を見たとき、２枚の偏光フィルム１１，１２が重なり合わない部分１３は、光が通過するため、内部が視認し易い透明空間として把握され、一方、２枚の偏光フィルム１１，１２が重なり合った部分１４は、光が通過しないため、内部が視認し難い不透明空間として把握される。なお、偏光フィルムは２枚に限定されるものではなく、３枚以上の偏光フィルムを適宜の角度（透過軸を基準とした角度）で重ね合わせることによっても不透明空間を形成することが可能である。
【００２０】
また、図９（A）に示すように、円筒部材６の内周面において不透明空間が形成される部位１４に、遊技球の通過を阻止する通過阻止手段としての壁部１５が立設されているとともに、この壁部１５の上流側に、壁部１５で通過を阻止された遊技球を円筒部材６外部へ排出するための排出孔１６が形成されている。円筒部材６の回動により、排出孔１６が図９（B）に示すように最下端付近に位置するとき、円筒部材６内部を通過する遊技球は、壁部１５に当り排出孔１６から円筒部６外部に排出され、外れとなる（図５及び図６に二点鎖線で示す外れ経路B参照）。また、排出孔１６が図９（C）に示すように最下端付近以外に位置するとき、円筒部材６内部を通過する遊技球は、壁部１５に当ることなく下端開口部８に向かって転動してゆく（図３及び図４に二点鎖線で示す当り経路C参照）。
【００２１】
このような遊技球の動きは、上記のように壁部１５及び排出孔１６が不透明空間１４に配置されていることから、遊技者にとって視認することができない。つまり、遊技者は、円筒部材６内部を通過する遊技球が不透明空間１４に突入した時点から遊技球の動きを視認することができなくなり、あたかも遊技球がトンネルの内部に突入したかのように見える。そして、円筒部材６の回転角度位置によって、図９（B）に示すように遊技球が排出孔１６から円筒部材６外部に排出された場合には、遊技者にとっては、遊技球がトンネルに入ったまま忽然と消えてしまったように見え、一方、図９（C）に示すように遊技球が下端開口部８に向かって転動してゆく場合には、遊技者にとっては、一旦トンネルに入った遊技球が暫くしてトンネルから抜け出てきたように見え、この遊技球が下端開口部８から落下して特定入賞口９へ入賞する確率が高くなるという期待感をもてる。
【００２２】
次に、パチンコ遊技機の電気系統を図２に基づいて簡単に説明する。
【００２３】
図２において、パチンコ遊技機の電気系統は、遊技制御基板２０と賞球制御基板２１と図柄制御基板２２とランプ制御基板２３と音声制御基板２４とを備え、各制御基板２０，２１，２２，２３，２４は、CPU、ROM、RAM、I/Oを備える。遊技制御基板２０には、特定入賞口９への遊技球の入賞を検出する特定入賞口検出器２８、羽根３を開放駆動する羽根ソレノイド２６、円筒部材６を回動駆動する役物駆動用モータ１０などの他、始動入賞口検出器２５、大入賞口検出器２７、第１の普通入賞口スイッチ２９、第２の普通入賞口スイッチ３０などがそれぞれ電気的に接続される。賞球制御基板２１には、払出駆動モータ３１、定位置検出スイッチ３２、払出球検出スイッチ３３、球有り検出スイッチ３４、満タン検出スイッチ３５などがそれぞれ電気的に接続される。図柄制御基板２２には、特別図柄表示装置３６が電気的に接続される。ランプ制御基板２３には、装飾LED３７、サイドランプ３８、ガラス枠ランプ３９がそれぞれ電気的に接続される。音声制御基板２４には、スピーカ４０が電気的に接続される。
【００２４】
図１０に示す他の実施形態に係る遊技球通路（役物）５は、上述した実施形態に係る遊技球通路５と同様、透明材料からなる円筒部材６の内周面に、特定の方向に振動している光だけを通過可能に構成された２枚の偏光フィルム１１，１２が、透過軸が互いに直交する位置関係を有しながら、その一部が互いに重なり合う（空間を挟んで重なり合う場合を含む。）よう配置されており、遊技者から円筒部材６を見たとき、２枚の偏光フィルム１１，１２が重なり合わない部分１３は、光が通過するため、内部が視認し易い透明空間として把握され、一方、２枚の偏光フィルム１１，１２が重なり合った部分１４（図１０（A）において、網目で表した部分に対応している。）は、光が通過しないため、内部が視認し難い不透明空間として把握される。
【００２５】
また、図１０に示す他の実施形態に係る遊技球通路５は、図１０（B）に示すように、円筒部材６において不透明空間が形成される部位１４に、遊技球の通過を阻止する通過阻止手段としての可動壁部１７が設けられている。可動壁部１７は、図示しない駆動手段によって進退動し、前進時は円筒部材６の内部に突出して遊技球の通過を阻止し、一方、後退時は円筒部材６の外部に引っ込んで遊技球の通過を許容する。
【００２６】
このような可動壁部１７による遊技球に対する作用は、上記のように可動壁部１７が不透明空間１４に配置されていることから、遊技者にとって視認することができない。つまり、遊技者は、円筒部材６内部を通過する遊技球が不透明空間１４に突入した時点から遊技球の動きを視認することができなくなり、あたかも遊技球がトンネルの内部に突入したかのように見える。そして、可動壁部１７が前進位置にあるときは、可動壁部１７によって遊技球の通過が阻止され、その後可動壁部１７が後退したとき遊技球が下端開口部８に向かって転動を開始するため、遊技者は、遊技球がトンネルに入ったのを確認した後、しばらく時間が経過した後突然に遊技球がトンネルから抜け出てきたと遊技球の動きに意外性を感じるであろう。また、可動壁部１７が後退位置にあるときは、可動壁部１７によって遊技球の通過が阻止されないため、遊技者にとっては、一旦トンネルに入った遊技球が直ちにトンネルから抜け出てきたように見える。このように、遊技球通路５の内部の様子が見えない状態で遊技球の動きが複数パターンになることから、遊技者は興趣をもって遊技をすると期待できる。
【００２７】
なお、上述した各実施形態に係る遊技球通路５は、壁部１５又は可動壁部１７により遊技球の通過を阻止可能に構成したが、図１１に示すように、このような通過阻止手段１５，１７を除去し、遊技球が自由に転動できるよう構成してもよく、このような構成によっても遊技球が不透明空間１４を通過する際にその動きが見えないことから遊技者に興趣をもって遊技させることが期待できる。
【００２８】
以上説明したように、本実施形態の遊技機は、所定の遊技媒体（遊技球）を用いて遊技を行う遊技機において、特定の方向に振動している光だけを通過可能に構成された偏光手段（偏光フィルム）１１，１２を複数備え、複数の偏光手段１１，１２をその一部が互いに重なり合うよう配置することにより、遊技者が偏光手段１１，１２の奥側における遊技媒体の様子を容易に視認し得る透明空間１３と、遊技者が偏光手段１１，１２の奥側における遊技媒体の様子を視認し難い不透明空間１４とを形成している。
【００２９】
本実施形態の遊技機によると、複数の偏光手段１１，１２をその一部が互いに重なり合うよう配置するという極めて簡単な構成によって透明空間１３と不透明空間１４を作り出すことができ、従来技術のような特別な駆動手段を必要としない。
【００３０】
また、本実施形態の遊技機は、遊技球が入賞可能な可変入賞装置２を備える遊技機において、可変入賞装置２内に、特定の方向に振動している光だけを通過可能に構成された偏光手段１１，１２を複数設け、複数の偏光手段１１，１２をその一部が互いに重なり合うよう配置することにより、遊技者が偏光手段１１，１２の奥側における遊技球の様子を容易に視認し得る透明空間１３と、遊技者が偏光手段１１，１２の奥側における遊技球の様子を視認し難い不透明空間１４とを形成している。
【００３１】
本実施形態の遊技機によると、可変入賞装置２内に複数の偏光手段１１，１２を設け、複数の偏光手段１１，１２をその一部が互いに重なり合うよう配置するという極めて簡単な構成によって透明空間１３と不透明空間１４とを作り出すことができ、従来技術のような特別な駆動手段を必要としない。
【００３２】
また、本実施形態の遊技機は、遊技球が入賞可能な可変入賞装置２を備える遊技機において、可変入賞装置２内に遊技球通路５を設け、遊技球通路５に、特定の方向に振動している光だけを通過可能に構成された偏光手段１１，１２を複数設け、複数の偏光手段１１，１２をその一部が互いに重なり合うよう配置することにより、遊技者が遊技球通路５内における遊技球の様子を容易に視認し得る透明空間１３と、遊技者が遊技球通路５内における遊技球の様子を視認し難い不透明空間１４とを形成している。
【００３３】
本実施形態の遊技機によると、可変入賞装置２内の遊技球通路５に複数の偏光手段１１，１２を設け、複数の偏光手段１１，１２をその一部が互いに重なり合うよう配置するという極めて簡単な構成によって遊技球通路５内に透明空間１３と不透明空間１４とを作り出すことができ、従来技術のような特別な駆動手段を必要としない。
【００３４】
また、遊技球通路５内において不透明空間１４が形成される部位に、遊技球の通過を妨げる位置と遊技球の通過を許容する位置の２つの位置を取り得る通過阻止手段（壁部１５、可動壁部１７）を設けたため、通過阻止手段１５，１７が遊技球の通過を妨げる位置にあるときは不透明空間１４に入った遊技球がその姿を消すことになり、一方、通過阻止手段１５，１７が遊技球の通過を許容する位置にあるときは不透明空間１４に入った遊技球が再びその姿を現すようになるため、遊技者は遊技球の行方に興趣をもちながら遊技を行うことができるようになる。
【図面の簡単な説明】
【００３５】
【図１】本発明の一実施形態に係るパチンコ遊技機の正面図である。
【図２】同パチンコ遊技機の電気系統図である。
【図３】同パチンコ遊技機の可変入賞装置の当たり経路の説明のための正面図である。
【図４】同じく同可変入賞装置の当たり経路の説明のための要部断面図である。
【図５】同可変入賞装置の外れ経路の説明のための正面図である。
【図６】同じく同可変入賞装置の外れ経路の説明のための要部断面図である。
【図７】同可変入賞装置の遊技球通路の側面図である。
【図８】同遊技球通路の正面図である。
【図９】同遊技球通路の動作説明図である。
【図１０】他の実施形態に係る遊技球通路の構成図である。
【図１１】さらに他の実施形態に係る遊技球通路の構成図である。
【符号の説明】
【００３６】
２    可変入賞装置
５    遊技球通路
１１，１２    偏光フィルム（偏光手段）
１３    透明空間
１４    不透明空間
１５    壁部（通過阻止手段）
１７    可動壁部（通過阻止手段）
【図１】
2006223654.tif 000003
【図２】
2006223654.tif 000004
【図３】
2006223654.tif 000005
【図４】
2006223654.tif 000006
【図５】
2006223654.tif 000007
【図６】
2006223654.tif 000008
【図７】
2006223654.tif 000009
【図８】
2006223654.tif 000010
【図９】
2006223654.tif 000011
【図１０】
2006223654.tif 000012
【図１１】
2006223654.tif 000013